(57)【要約】【課題】給湯装置の表示部に、当該給湯装置が設置された家の人々が利用可能な情報を表示できる給湯システム、および当該給湯システムに用いられ得る給湯装置および管理装置を提供する。【解決手段】給湯システム１は、給湯装置１０と、外部通信網４０を介して給湯装置１０と通信可能に接続され、給湯装置１０を管理するサーバ５０と、を備える。サーバ５０は、給湯装置１０に広告を配信する制御部５０１を含み、給湯装置１０は、表示部１３１と、配信された広告を表示部１３１に表示させる制御部１３３と、を含む。【選択図】図２
2020034187.tif 000002
【特許請求の範囲】
【請求項１】
給湯装置と、
外部通信網を介して前記給湯装置と通信可能に接続され、前記給湯装置を管理する管理装置と、を備え、
前記管理装置は、前記給湯装置に情報を配信する第１制御部を含み、
前記給湯装置は、表示部と、前記配信された情報を前記表示部に表示させる第２制御部と、を含む、
ことを特徴とする給湯システム。
【請求項２】
請求項１に記載の給湯システムにおいて、
前記給湯装置は、操作部と、前記配信された情報を記憶する配信情報記憶部とを、さらに備え、
前記第２制御部は、前記操作部が操作されたことに基づいて、前記配信された情報を前記配信情報記憶部から読み出し前記表示部に表示させる、
ことを特徴とする給湯システム。
【請求項３】
請求項２に記載の給湯システムにおいて、
前記操作部は、運転ボタンを含み、
前記運転ボタンは、前記表示部に、前記給湯装置に行われた設定内容を表示させるとともに前記運転ボタン以外のボタンの操作を受け付け可能とするために操作され、
前記第２制御部は、前記運転ボタンが操作されたことに基づいて、前記配信された情報を前記配信情報記憶部から読み出し前記表示部に表示させる、
ことを特徴とする給湯システム。
【請求項４】
請求項１ないし３の何れか一項に記載の給湯システムにおいて、
前記管理装置は、前記給湯装置が使用される世帯の属性情報を記憶する属性情報記憶部を、さらに備え、
前記第１制御部は、前記属性情報に基づいて前記給湯装置に配信する情報を選別する、
ことを特徴とする給湯システム。
【請求項５】
外部通信網を介して管理装置と通信可能に接続される給湯装置において、
表示部と、
前記管理装置から配信された情報を前記表示部に表示させる制御部と、
を備えることを特徴とする給湯装置。
【請求項６】
請求項５に記載の給湯装置において、
操作部と、前記配信された情報を記憶する配信情報記憶部とを、さらに備え、
前記制御部は、前記操作部が操作されたことに基づいて、前記配信された情報を前記配信情報記憶部から読み出し前記表示部に表示させる、
ことを特徴とする給湯装置。
【請求項７】
請求項６に記載の給湯装置において、
前記操作部は、運転ボタンを含み、
前記運転ボタンは、前記表示部に、前記給湯装置に行われた設定内容を表示させるとともに前記運転ボタン以外のボタンの操作を受け付け可能とするために操作され、
前記制御部は、前記運転ボタンが操作されたことに基づいて、前記配信された情報を前記配信情報記憶部から読み出し前記表示部に表示させる、
ことを特徴とする給湯装置。
【請求項８】
外部通信網を介して給湯装置と通信可能に接続され、前記給湯装置を管理する管理装置において、
前記給湯装置の表示部に表示させるための情報を、前記給湯装置へ配信する制御部を含む、
ことを特徴とする管理装置。
【請求項９】
請求項８に記載の管理装置において、
前記給湯装置が使用される世帯の属性情報を記憶する属性情報記憶部を、さらに備え、
前記制御部は、前記属性情報に基づいて前記給湯装置に配信する情報を選別する、
ことを特徴とする管理装置。
【発明の詳細な説明】
【技術分野】
【０００１】
本発明は、外部通信網を介して給湯装置を遠隔制御する給湯システム、当該給湯システムを構成可能な給湯装置および管理装置に関する。
【背景技術】
【０００２】
従来、給湯装置では、浴室やリビング、台所に設置されたリモートコントローラによって各種設定がなされていた。多くの場合、リモートコントローラには、設定内容を表示するため、表示部が設けられる。
【０００３】
このようなリモートコントローラ、即ち給湯装置の表示部に、設定内容のみならず、広告等の情報が表示されると、給湯装置が設置された家の人々がこの情報を利用でき、便利である。
【０００４】
以下の特許文献１に示すように、広告配信サーバから配信された広告が携帯端末に表示される広告配信システムは、従来知られている。
【先行技術文献】
【特許文献】
【０００５】
【特許文献１】特開２００２−３６６８４３号公報
【発明の概要】
【発明が解決しようとする課題】
【０００６】
しかしながら、給湯装置の表示部に、広告等の情報を配信するシステムについては、従来、知られていない。
【０００７】
かかる課題に鑑み、本発明は、給湯装置の表示部に、当該給湯装置が設置された家の人々が利用可能な情報を表示できる給湯システム、および当該給湯システムに用いられ得る給湯装置および管理装置を提供することを目的とする。
【課題を解決するための手段】
【０００８】
本発明の第１の態様は、給湯システムに関する。本態様に係る給湯システムは、給湯装置と、外部通信網を介して前記給湯装置と通信可能に接続され、前記給湯装置を管理する管理装置と、を備える。ここで、前記管理装置は、前記給湯装置に情報を配信する第１制御部を含み、前記給湯装置は、表示部と、前記配信された情報を前記表示部に表示させる第２制御部と、を含む。
【０００９】
上記の構成によれば、給湯装置が設置された家の人々が、管理装置から配信され給湯装置の表示部に表示された情報を利用できる。よって、給湯システムの利便性が高まる。
【００１０】
本態様に係る給湯システムにおいて、前記給湯装置は、操作部と、前記配信された情報を記憶する配信情報記憶部とを、さらに備えるような構成とされ得る。この場合、前記第２制御部は、前記操作部が操作されたことに基づいて、前記配信された情報を前記配信情報記憶部から読み出し前記表示部に表示させる。
【００１１】
たとえば、前記操作部は、運転ボタンを含み得る。前記運転ボタンは、前記表示部に、前記給湯装置に行われた設定内容を表示させるとともに前記運転ボタン以外のボタンの操作を受け付け可能とするために操作される。この場合、前記第２制御部は、前記運転ボタンが操作されたことに基づいて、前記配信された情報を前記配信情報記憶部から読み出し前記表示部に表示させる。
【００１２】
上記の構成によれば、給湯装置の操作部、たとえば、運転ボタンが操作されたときに給湯装置の表示部に広告が表示される。これにより、表示部に表示された広告が人（操作者）に見られやすくなるので、広告が利用されやすくなる。
【００１３】
本態様に係る給湯システムにおいて、前記管理装置は、前記給湯装置が使用される世帯の属性情報を記憶する属性情報記憶部を、さらに備えるような構成とされ得る。この場合、前記第１制御部は、前記属性情報に基づいて前記給湯装置に配信する情報を選別する。
【００１４】
上記の構成によれば、管理装置から給湯装置へ、当該給湯装置が使用される世帯の属性に基づいて選別された広告が配信されるので、その世帯の人々に利用されやすい広告を給湯装置の表示部に表示させることが可能となる。
【００１５】
本発明の第２の態様は、外部通信網を介して管理装置と通信可能に接続される給湯装置に関する。本態様に係る給湯装置は、表示部と、前記管理装置から配信された情報を前記表示部に表示させる制御部と、を備える。
【００１６】
上記の構成によれば、給湯装置が設置された家の人々が、管理装置から配信され給湯装置の表示部に表示された情報を利用できる。よって、給湯装置の利便性が高まる。
【００１７】
本態様に係る給湯装置において、操作部と、前記配信された情報を記憶する配信情報記憶部とを、さらに備えるような構成が採られ得る。この場合、前記制御部は、前記操作部が操作されたことに基づいて、前記配信された情報を前記配信情報記憶部から読み出し前記表示部に表示させる。
【００１８】
たとえば、前記操作部は、運転ボタンを含み得る。前記運転ボタンは、前記表示部に、前記給湯装置に行われた設定内容を表示させるとともに前記運転ボタン以外のボタンの操作を受け付け可能とするために操作される。この場合、前記制御部は、前記運転ボタンが操作されたことに基づいて、前記配信された情報を前記配信情報記憶部から読み出し前記表示部に表示させる。
【００１９】
上記の構成によれば、操作部、たとえば、運転ボタンが操作されたときに表示部に広告が表示される。これにより、表示部に表示された広告が人（操作者）に見られやすくなるので、広告が利用されやすくなる。
【００２０】
本発明の第３の態様は、外部通信網を介して給湯装置と通信可能に接続され、前記給湯装置を管理する管理装置に関する。本態様に係る管理装置は、前記給湯装置の表示部に表示させるための情報を、前記給湯装置へ配信する制御部を含む。
【００２１】
上記の構成によれば、給湯装置が設置された家の人々が、管理装置から配信され給湯装置の表示部に表示された情報を利用できる。
【００２２】
本態様に係る管理装置において、前記給湯装置が使用される世帯の属性情報を記憶する属性情報記憶部を、さらに備えるような構成が採られ得る。この場合、前記制御部は、前記属性情報に基づいて前記給湯装置に配信する情報を選別する。
【００２３】
上記の構成によれば、管理装置から給湯装置へ、当該給湯装置が使用される世帯の属性に基づいて選別された広告が配信されるので、その世帯の人々に利用されやすい広告を給湯装置の表示部に表示させることが可能となる。
【発明の効果】
【００２４】
以上のとおり、本発明によれば、給湯装置の表示部に、当該給湯装置が設置された家の人々が利用可能な情報を表示できる給湯システム、および当該給湯システムに用いられ得る給湯装置および管理装置を提供できる。
【００２５】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２６】
【図１】図１は、実施形態に係る、給湯システムの構成を示す図である。
【図２】図２は、実施形態に係る、給湯システムを構成する各機器の回路ブロックを示す図である。
【図３】図３（ａ）、（ｂ）は、それぞれ、実施形態に係る、給湯装置と携帯端末装置とをペアリングするための、台所リモコンと携帯端末装置における処理を示すフローチャートである。
【図４】図４（ａ）は、実施形態に係る、携帯端末装置において管理される給湯装置と携帯端末装置とのペアリング情報の構成を示す図である。図４（ｂ）、（ｃ）は、実施形態に係る、携帯端末装置を用いて遠隔制御を行う際に携帯端末装置に表示される画面を示す図である。
【図５】図５は、実施形態に係る、第１遠隔監視画面を示す図である。
【図６】図６（ａ）は、実施形態に係る、第２遠隔監視画面を示す図であり、図６（ｂ）は、実施形態に係る、遠隔操作画面を示す図である。
【図７】図７は、実施形態に係る、属性入力処理を示すフローチャートである。
【図８】図８（ａ）〜（ｃ）は、実施形態に係る、属性入力画面の構成を示す図である。
【図９】図９は、実施形態に係る、サーバにおいて管理される属性情報の構成を示す図である。
【図１０】図１０（ａ）は、実施形態に係る、サーバに保有された広告データの構成を示す図であり、図１０（ｂ）は、実施形態に係る、配信処理を示すフローチャートである。
【図１１】図１１（ａ）は、実施形態に係る、受信処理を示すフローチャートであり、図１１（ｂ）は、実施形態に係る、表示処理を示すフローチャートである。
【図１２】図１２は、変更例に係る、受信処理を示すフローチャートである。
【発明を実施するための形態】
【００２７】
以下、本発明の実施形態について図面を参照して説明する。
【００２８】
図１は、実施形態に係る、給湯システム１の構成を示す図である。
【００２９】
図１に示すように、給湯システム１は、給湯装置１０と、ルータ２０と、携帯端末装置３０と、外部通信網４０と、サーバ５０とを備える。
【００３０】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００３１】
給湯装置１０は、カラン等に湯を供給する給湯機能、浴槽にお湯を張る湯張り機能の他、浴槽内に湯が張られた後にその湯を保温する保温機能と、浴槽内の湯を追い焚きする追い焚き機能と、浴槽内にお湯を足す足し湯機能とを備える。湯張り機能とそれに続く保温機能とが合わされて、ふろ自動機能とされる。保温機能および追い焚き機能では、浴槽と給湯器１１との間でお湯が循環し循環中のお湯が加熱されることによってお湯が熱くなる。保温機能と追い焚き機能では、新たなお湯の使用はない。
【００３２】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。入力部１２２、１３２には、運転ボタン１２２ａ、１３２ａを含む各種の操作ボタンが設けられる。リモートコントローラ１２、１３が待機状態にあるとき、表示部１２１、１３１は消灯状態にあり、運転ボタン１２２ａ、１３２ａ以外の操作ボタンの操作は受け付けられない。運転ボタン１２２ａ、１３２ａが操作されると、表示部１２１、１３１が点灯して設定内容が表示されるとともに運転ボタン１２２ａ、１３２ａ以外の操作ボタンの操作が受け付け可能となる。
【００３３】
リモートコントローラ１２は、浴室に設置され、リモートコントローラ１３は、キッチン等に設置される。以下、浴室に設置されるリモートコントローラ１２を、「浴室リモコン１２」と称し、キッチン等に設置されるリモートコントローラ１３を、「台所リモコン１３」と称する。
【００３４】
ルータ２０は、建物内（ここでは、宅内Ｈ１０）に存在する各機器を、外部通信網４０を介してサーバ５０に接続するための無線ルータである。ルータ２０には、ルータごとに個別に割り振られる識別子として、固有のＢＳＳＩＤ（Basic Service Set Identifier）が割り振られている。
【００３５】
台所リモコン１３は、無線通信により、ルータ２０に接続される。また、携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３６】
外部通信網４０には、給湯装置１０に対する遠隔制御（遠隔操作および遠隔監視）を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００３７】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（ＩＰアドレス）が含まれている。台所リモコン１３と携帯端末装置３０は、このアドレス情報に基づいて、サーバ５０にアクセスし、通信を行う。台所リモコン１３のアドレス情報は、初期設定の際に、サーバ５０に送信され保持される。また、携帯端末装置３０のアドレス情報は、後述のペアリング処理の際に、携帯端末装置３０から台所リモコン１３に渡されて、台所リモコン１３からサーバ５０に送信され保持される。
【００３８】
本実施形態では、台所リモコン１３および携帯端末装置３０のアドレス情報として、後述の台所リモコン１３の無線通信部１３６および携帯端末装置３０の無線通信部３０５（図２参照）に保持されたＭＡＣ（Media Access Control）アドレスが用いられる。台所リモコン１３および携帯端末装置３０のアドレス情報として、台所リモコン１３の無線通信部１３６および携帯端末装置３０の無線通信部３０５のグローバルＩＰアドレスが用いられてもよい。
【００３９】
図１の構成において、操作者は、宅内Ｈ１０と宅外の何れにおいても、携帯端末装置３０を用いて、給湯装置１０に対する遠隔制御（遠隔操作および遠隔監視）を行うことができる。後述のように、本実施形態では、携帯端末装置３０ごとに、遠隔制御の対象の給湯装置１０が予め対応付けられ。また、遠隔制御の対象の給湯装置１０に対して、遠隔制御の種類、すなわち、遠隔操作と遠隔監視の両方または何れか一方が予め設定される。本実施形態では、これらの対応付けと遠隔制御の種類が、携帯端末装置３０ごとに、サーバ５０で管理される。
【００４０】
携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、給湯装置１０に対して適用される。
【００４１】
また、給湯装置１０の状態情報は、所定周期で随時、台所リモコン１３からルータ２０を介してサーバ５０に送信される。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。
【００４２】
図２は、給湯システム１を構成する各機器の回路ブロックを示す図である。
【００４３】
給湯器１１は、制御部１１１と、記憶部１１２と、通信部１１３と、水位センサ１１４と、流量センサ１１５と、を備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４４】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退出したことを検出する。流量センサ１１５は、給湯口１１ａに接続された配管を流れる湯の流量を検出する。制御部１１１は、浴槽、カラン等に湯が供給されている時間と、流量センサ１１５が検出した流量により、お湯の使用量を求めることができる。
【００４５】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、温度設定ボタン等の各種操作ボタンを備える。表示部１２１が、タッチパネルであってもよい。制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検出する。
【００４６】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００４７】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。この他、台所リモコン１３は、音声を出力するためのスピーカを備えている。
【００４８】
携帯端末装置３０は、表示部３０１と、入力部３０２と、制御部３０３と、記憶部３０４と、無線通信部３０５とを備える。表示部３０１は、たとえば、液晶パネルにより構成される。入力部１３２は、各種操作ボタンと、表示部３０１に積層されたタッチパネルとを備える。
【００４９】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。この他、携帯端末装置３０は、音声を出力するためのスピーカを備えている。
【００５０】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００５１】
上述のように、本実施形態では、予め、給湯装置１０に対して遠隔制御および遠隔監視を行うことが可能な携帯端末装置３０が、給湯装置１０に対応付けて、サーバ５０に登録される。すなわち、予め、給湯装置１０と携帯端末装置３０とがペアリングされ、ペアリングを示す情報が、サーバ５０において管理される。
【００５２】
本実施形態では、このペアリングが、給湯装置１０が設置された建物内のルータ２０を介して行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされることを防止できる。よって、不当に遠隔制御および遠隔監視が行われるリスクを解消できる。
【００５３】
図３（ａ）、（ｂ）は、それぞれ、給湯装置１０と携帯端末装置３０とをペアリングするための、台所リモコン１３と携帯端末装置３０における処理を示すフローチャートである。
【００５４】
操作者は、宅内Ｈ１０において、携帯端末装置３０にインストールされた給湯システム１のアプリケーションプログラムを起動し、携帯端末装置３０をペアリングモードに設定する。その後、操作者は、台所リモコン１３の入力部１３２に対し、ペアリングのための操作を行う。
【００５５】
こうして、台所リモコン１３に対してペアリング操作が行われると（Ｓ１１：ＹＥＳ）、台所リモコン１３の制御部１３３は、ペアリングのためのアナウンスをブロードキャストで送信する（Ｓ１２）。携帯端末装置３０が宅内Ｈ１０にある場合、このアナウンスは携帯端末装置３０により受信される。
【００５６】
携帯端末装置３０の制御部３０３は、このアナウンスを受信すると（Ｓ２１：ＹＥＳ）、表示部３０１に、ペアリングを要求する操作を受け付けるための受付画面を表示させる（Ｓ２２）。操作者は、この受付画面で要求操作を行う。これにより、制御部３０３は、ペアリング要求を台所リモコン１３に送信する（Ｓ２３）。このペアリング要求には、携帯端末装置３０のＩＤ情報およびアドレス情報（ＭＡＣアドレス）が含まれる。ＩＤ情報として、ＵＵＩＤ（Universally Unique Identifier）、ＧＵＩＤ（GloballyUnique Identifier）等が用いられる。
【００５７】
台所リモコン１３の制御部１３３は、アナウンスの送信から所定時間以内に携帯端末装置３０からペアリング要求を受信すると（Ｓ１３：ＹＥＳ）、ペアリング応答を携帯端末装置３０に送信し（Ｓ１４）、さらに、ペアリング結果をサーバ５０に送信して（Ｓ１５）、処理を終了する。このペアリング結果には、ペアリング要求に含まれた携帯端末装置３０のＩＤ情報およびアドレス情報とともに、給湯装置１０（ここでは、台所リモコン１３）のＩＤ情報（ＵＵＩＤ、ＧＵＩＤ等）が含まれる。他方、所定時間以内にペアリング要求を受信しなかった場合（Ｓ１３：ＮＯ）、制御部１３３は、ペアリング結果を送信することなく、処理を終了する。携帯端末装置３０側の制御部３０３では、台所リモコン１３からペアリング応答を受信して（Ｓ２４：ＹＥＳ）、処理を終了する。
【００５８】
次に、ペアリングが行われた給湯装置１０と携帯端末装置３０との間で行われる遠隔制御の流れについて説明する。
【００５９】
図４（ａ）は、携帯端末装置３０において管理される給湯装置１０と携帯端末装置３０とのペアリング情報の構成を示す図である。
【００６０】
図４（ａ）に示すように、携帯端末装置３０では、ペアリングを行った給湯装置１０のＩＤ情報（ここでは、台所リモコン１３のＩＤ情報）が管理されている。また、各給湯装置１０に対して、操作者が設定した名称が対応付けられている。名称の設定は、たとえば、受付画面においてペアリングの要求操作が行われた後に、名称設定用の画面が表示されて行われる。操作者は、自身にとって分かり易い名称を、各給湯装置１０に付することができる。携帯端末装置３０におけるペアリング情報の登録は、台所リモコン１３からペアリング応答を受信した後に行われる。ペアリング情報は、携帯端末装置３０の記憶部３０４に保持される。
【００６１】
図４（ｂ）、（ｃ）は、携帯端末装置３０を用いて遠隔制御を行う際に携帯端末装置３０に表示される画面を示す図である。
【００６２】
操作者が自身の携帯端末装置３０において給湯システム１のためのアプリケーションプログラムを起動した後、所定の操作を行うと、図４（ｂ）の選択画面５１０が表示される。この選択画面５１０には、メッセージ５１１と、選択キー群５１２と、確認ボタン５１３が含まれる。メッセージ５１１は、遠隔制御の対象を選択することを促す文章となっている。
【００６３】
選択キー群５１２には、選択候補を示す選択キー５１２ａが上下に並んで含まれている。選択候補は、図４（ａ）に示したペアリンク情報の名称によって規定される。各選択キー５１２ａには、それぞれ、図４（ａ）に示したペアリンク情報の名称が付されている。選択キー５１２ａは、指を選択キー群５１２の位置に当てて上下にスライドさせることにより、スクロールできる。操作者は、遠隔制御を行おうとする給湯装置１０に付した名称の選択キー５１２ａにタッチして、遠隔制御の対象を選択する。選択された選択キー５１２ａは、ハイライト表示される。選択対象を誤った場合、操作者は、再度、選択キー５１２ａにタッチする。これにより、選択が解除される。
【００６４】
こうして対象を選択した後、操作者は、確認ボタン５１３にタッチする。これにより、図４（ｃ）に示す選択画面５２０が表示される。操作者は、この選択画面５２０を用いて、遠隔制御の種別を選択するための操作を行う。
【００６５】
選択画面５２０には、メッセージ５２１と、選択ボタン５２２、５２３、５２４と、確定ボタン５２５と、戻るボタン５２６とが含まれている。メッセージ５２１は、遠隔制御の種別を選択することを促す文章となっている。選択ボタン５２２、５２３、５２４は、それぞれ、遠隔操作と２つの遠隔監視を遠隔制御の種別として選択するための操作部である。確定ボタン５２５は、選択処理を確定させるための操作部である。確定ボタン５２５は、選択ボタン５２２、５２３、５２４の何れか一方が選択された場合に操作可能となる。戻るボタン５２６は、画面を選択画面５１０に戻すための操作部である。
【００６６】
操作者は、選択ボタン５２２、５２３、５２４のうち、自身が行おうとする遠隔制御の種別に対応する選択ボタンにタッチして、遠隔制御の種別を選択する。選択された選択ボタンは、ハイライト表示される。選択対象を誤った場合、操作者は、再度、選択ボタンにタッチする。これにより、選択が解除される。画面を戻す場合、操作者は戻るボタン５２６にタッチする。
【００６７】
選択ボタン５２２、５２３、５２４の何れか一方が選択された後、操作者が確定ボタン５２５にタッチすると、選択ボタン５２２、５２３、５２４の選択に応じた遠隔制御のための画面が携帯端末装置３０の表示部３０１に表示される。即ち、選択ボタン５２２が選択された場合、遠隔操作のための遠隔操作画面８００が表示され、選択ボタン５２３、５２４が選択された場合、遠隔監視のための第１遠隔監視画面６００または第２遠隔監視画面７００が表示される。
【００６８】
図５は、第１遠隔監視画面６００を示す図である。図６（ａ）は、第２遠隔監視画面７００を示す図であり、図６（ｂ）は、遠隔操作画面８００を示す図である。
【００６９】
第１遠隔監視画面６００は、お湯の使用履歴（使用量）およびお風呂の使用履歴を監視できる画面である。図５を参照して、第１遠隔監視画面６００は、２つの領域６１０、６２０に区分されている。領域６１０には、名称表示部６１１が含まれる。名称表示部６１１には、遠隔監視が適用される給湯装置１０の名称が表示される。名称表示部６１１の表示には、図４（ａ）のペアリング情報に含まれる名称が用いられる。
【００７０】
領域６２０には、日付表示部６２１と、お湯・お風呂使用履歴表示部６２２とが含まれている。日付表示部６２１では、中央部に日付表示６２１ａが行われ、その左右両側に、日付戻し表示６２１ｂと日付送り表示６２１ｃとが行われる。日付戻し表示６２１ｂがタッチされると、日付が前の日に戻され、日付送り表示６２１ｃがタッチされると日付が次の日に送られる。
【００７１】
お湯・お風呂使用履歴表示部６２２には、日付表示６２１ａで示された日に使用されたお湯の合計使用量の表示６２２ａと、１時間ごとのお湯の使用量を示すグラフ６２２ｂとが含まれる。さらに、お湯・お風呂使用履歴表示部６２２には、日付表示６２１ａで示された日にお風呂が使用された時間帯が示されるチャート６２２ｃが含まれる。ここでは、浴槽に湯が張られた後保温が停止するまでの時間が、お風呂が使用された時間とされる。また、追い焚きまたは足し湯が行われた時間も、お風呂が使用された時間とされる。
【００７２】
給湯装置１０からサーバ５０に送信される状態情報には、１時間ごとのお湯の使用量と、湯張りが開始された時刻、湯張りから保温に移行した後に保温が停止した時刻、追い焚きの開始時刻および終了時刻、並びに、足し湯の開始時刻および終了時刻が含まれる。サーバ５０は、これら情報を、定期的に、これら情報を送信した給湯装置１０とペアリングされた携帯端末装置３０に送信する。これにより、携帯端末装置３０では、第１遠隔監視画面６００での情報表示が可能となる。
【００７３】
第２遠隔監視画面７００は、給湯装置１０の各種設定状態および入浴の有無を監視できる画面である。図６（ａ）を参照して、第２遠隔監視画面７００は、３つの領域７１０、７２０、７３０に区分されている。領域７１０には、名称表示部７１１と、給湯温度表示部７１２と、風呂温度表示部７１３と、風呂湯量表示部７１４と、浴槽画像７１５と、入浴時間表示部７１６と、が含まれている。
【００７４】
名称表示部７１１には、名称表示部６１１と同様、遠隔監視が適用される給湯装置１０の名称が表示される。給湯温度表示部７１２、風呂温度表示部７１３および風呂湯量表示部７１４には、それぞれ、随時、サーバ５０から携帯端末装置３０が受信した状態情報に基づいて、現在の給湯温度、風呂温度および風呂湯量の設定状態が示される。
【００７５】
第２遠隔監視画面７００を選択する選択ボタン５２４が選択された後に確定ボタン５２５がタッチされると、携帯端末装置３０からサーバ５０へ遠隔制御要求が送信される。この遠隔制御要求は、当該携帯端末装置３０のＩＤ情報と、操作者により選択された遠隔制御の対象の給湯装置１０のＩＤ情報を含む。サーバ５０は、遠隔制御要求が送られてくると、送信元の携帯端末装置３０への給湯温度、風呂温度、風呂湯量等の状態情報の送信を開始する。これにより、第２遠隔監視画面７００での設定状態に関する情報表示が可能となる。
【００７６】
浴槽画像７１５には、現在の風呂湯量の設定状態が浴槽に溜められる水の画像として表示される。浴槽に人が入浴中であることが状態情報に含まれている場合、浴槽画像７１５に、人が浴槽に入浴していることを示す画像Ｍ１が付加される。また、入浴時間表示部７１６には、状態情報に基づいて、浴槽に対する現在の入浴時間が表示される。
【００７７】
領域７２０には、画面が遠隔操作画面８００である場合に所定の設定等を行うためのボタン７２１〜７２４が表示される。ボタン７２１〜７２４は、それぞれ、追い焚き機能の設定、風呂自動機能の設定、風呂洗浄機能の設定および風呂タイマー機能の設定のためのボタンである。ここでは、画面が第２遠隔監視画面７００であるため、これらのボタンは無効化されている。領域７３０には、遠隔監視の対象となる機能を切り替えるための４つのボタンが表示される。
【００７８】
操作者は、第１遠隔監視画面６００および第２遠隔監視画面７００を参照することにより、名称表示部６１１、７１１に表示された給湯装置１０の状況を確認できる。図５の例では、操作者は、名称表示部６１１に表示された給湯装置１０における、お湯の使用履歴およびお風呂の使用履歴を確認できる。また、図６（ａ）の例では、操作者は、名称表示部６１１に表示された給湯装置１０における、風呂の状況を種々確認することができる。これにより、操作者は、名称表示部６１１、７１１に表示された給湯装置１０の場所から離れていても、当該給湯装置１０の状況を的確に把握できる。
【００７９】
遠隔操作画面８００は、携帯端末装置３０から給湯装置１０を遠隔操作するための画面である。図６（ｂ）を参照して、遠隔操作画面８００について説明する。遠隔操作画面８００のレイアウトは、図６（ａ）に示した第２遠隔監視画面７００と同様である。遠隔操作画面８００は、第２遠隔監視画面７００と同様、３つの領域８１０、８２０、８３０に区分されている。
【００８０】
領域８１０には、名称表示部８１１と、給湯温度設定部８１２と、風呂温度設定部８１３と、風呂湯量設定部８１４と、浴槽画像８１５と、が含まれる。名称表示部８１１には、名称表示部６１１、７１１と同様、当該給湯装置１０に付された名称が表示される。
【００８１】
給湯温度設定部８１２、風呂温度設定部８１３とおよび風呂湯量設定部８１４には、それぞれ、現在の給湯温度、風呂温度および風呂湯量の設定状態が示される。さらに、操作者は、給湯温度設定部８１２、風呂温度設定部８１３および風呂湯量設定部８１４に対する操作により、給湯温度、風呂温度および風呂湯量を変更できる。浴槽画像８１５には、現在の風呂湯量の設定状態が浴槽に溜められる水の画像として表示される。
【００８２】
領域８２０に含まれる各ボタン８２１〜８２４は、操作可能に有効化されている。ボタン８２１〜８２４は、図６（ａ）のボタン７２１〜７２４に対応する。操作者は、これらのボタン８２１〜８２４を操作することにより、名称表示部８１１に表示された給湯装置１０に対して、各ボタン８２１〜８２４に対応する設定を行うことができる。遠隔操作画面８００では、操作者からの設定操作に応じた情報が、随時、サーバ５０に送信され、さらに、サーバ５０から台所リモコン１３に送信される。これにより、遠隔操作の対象の給湯装置１０に所定の設定が行われる。
【００８３】
なお、図６（ａ）、（ｂ）に示すとおり、第２遠隔監視画面７００と遠隔操作画面８００とでは、領域７１０、８１０の背景色が互いに相違している。たとえば、領域７１０の背景色は黄色に設定され、領域８１０の背景色は緑色に設定される。これにより、操作者は、図６（ａ）、（ｂ）のように、第２遠隔監視画面７００と遠隔操作画面８００のレイアウトが同様であっても、この背景色により、遠隔操作と遠隔監視の何れを行っているかを明確に把握できる。よって、各種別の遠隔制御を、円滑に進めることができる。
【００８４】
さて、本実施形態の給湯システム１では、給湯装置１０（台所リモコン１３）の表示部１３１に、給湯装置１０が設置された家の人々が利用できる情報として、種々の広告を表示する広告表示機能を備える。サーバ５０は、当該サーバ５０が管理する各給湯装置１０（台所リモコン１３）に、当該給湯装置１０が使用される世帯の属性情報（居住地、年齢構成）に基づいて選別した広告を、外部通信網４０およびルータ２０を通じて定期的に配信する。以下、この広告表示機能について説明する。
【００８５】
本実施形態では、最初に、給湯装置１０が使用される世帯の属性情報（居住地、年齢構成）が、携帯端末装置３０の表示部３０１に表示される属性入力画面において入力され、サーバ５０へ送信される。属性入力画面を用いた属性入力処理は、携帯端末装置３０の制御部３０３により実行される。記憶部３０４には、制御部３０３に属性入力処理を実行させるためのプログラムが記憶されている。
【００８６】
なお、属性入力処理は、図３（ｂ）のペアリングの処理が終了したときに、自動的に開始される。これにより、操作者は、属性入力処理を忘れずに行うことができる。また、また、ペアリングの処理の中に属性入力処理が含まれるような構成とされてもよく、この場合も、操作者は設定処理を忘れずに行うことができる。さらに、最初に入力した属性情報を、後に変更することもできる。この場合、所定の操作に基づいて、属性入力処理が開始される。
【００８７】
図７は、属性入力処理を示すフローチャートである。
【００８８】
図７を参照して、制御部３０３は、属性入力画面を表示部３０１に表示させて、属性情報の入力を受け付ける（Ｓ３１）。操作者は、属性情報として、世帯が住む居住地と世代ごとの世帯人数（年齢構成）を、属性入力画面を用いて入力する。
【００８９】
図８（ａ）〜（ｃ）は、属性入力画面９００の構成を示す図である。
【００９０】
属性入力画面９００には、メッセージ９１０と、居住地入力欄９２０と、４つの世帯人数入力欄９３０と、確定ボタン９４０が含まれている。メッセージ９１０は、属性情報の入力を促す文章となっている。居住地入力欄９２０は、世帯が住む居住地を入力するための欄である。入力される居住地は、たとえば、都道府県とされる。４つの世帯人数入力欄９３０は、世帯の人数を世代別に入力するための入力欄である。ここでは、世代の区分が、１０代以下、２０〜３０代、４０〜５０代、６０代以上とされている。確定ボタン９４０は、属性情報の入力を確定させるための操作部である。確定ボタン９４０は、居住地入力欄９２０と少なくとも一つの世帯人数入力欄９３０に入力された場合に操作可能となる。
【００９１】
なお、居住地入力欄９２０は、市町村など、都道府県よりも細かな地域まで入力が可能とされてもよい。あるいは、居住地入力欄９２０は、都道府県より大きな日本の地域ブロック（北海道地方、東北地方等）が入力されるものであってもよい。また、各世帯人数入力欄９３０は、男女別に人数が入力できるような構成とされてもよい。
【００９２】
操作者が、居住地入力欄９２０にタッチすると、属性入力画面９００には、図８（ｂ）に示すように、居住地入力欄９２０に隣接するように、居住地の名称（都道府県名）が配列されたウィンドウ９２１が現れる。操作者は、ウィンドウ９２１を上下になぞることでウィンドウ９２１上の名称をスクロールさせることができる。操作者は、ウィンドウ９２１上の現れた所望の名称にタッチする。これにより、タッチされた名称（都道府県名）が居住地入力欄９２０に表示される。
【００９３】
操作者が、何れかの世帯人数入力欄９３０にタッチすると、属性入力画面９００には、図８（ｃ）に示すように、タッチされた世帯人数入力欄９３０に隣接するように、数字が配列されたウィンドウ９３１が現れる。操作者は、ウィンドウ９３１を上下になぞることでウィンドウ９３１上の数字をスクロールさせることができる。操作者は、ウィンドウ９３１上の現れた所望の数字にタッチする。これにより、タッチされた数字が世帯人数入力欄９３０に表示される。こうして、属性情報の入力が終わると、操作者は、確定ボタン９４０にタッチする。これにより、属性情報の入力が確定する。
【００９４】
図７に戻り、制御部３０３は、操作者により確定ボタン９４０が操作されて確定操作がなされると（Ｓ３２：ＹＥＳ）、入力された属性情報を、給湯装置１０のＩＤ情報とともにサーバ５０に送信する（Ｓ３３）。こうして、属性入力処理が終了する。
【００９５】
図９は、サーバ５０において管理される属性情報の構成を示す図である。
【００９６】
図９に示すように、サーバ５０に送信された属性情報、即ち、居住地と世帯人数の情報は、給湯装置１０のＩＤ情報に対応付けられた状態で、サーバ５０の記憶部５０２に記憶され、管理される。なお、サーバ５０に送信された属性情報が、携帯端末装置３０の記憶部３０４にも記憶されてよい。また、属性情報が、台所リモコン１３にも送信されて、その記憶部１３４に記憶されよい。
【００９７】
サーバ５０では、ＩＤ情報が登録された各給湯装置１０に広告（広告データ）を配信する配信処理が制御部５０１により定期的に実行される。
【００９８】
図１０（ａ）は、サーバ５０に保有された広告データの構成を示す図である。
【００９９】
サーバ５０の記憶部５０２には、広告データを保有するデータベース５０２ａが含まれる。図１０（ａ）に示すように、データベース５０２ａにおいて、保存された各広告データには、その広告データの配信対象となる属性情報が付帯されている。データベース５０２ａ内の広告データの更新は、たとえば、サーバ５０側に配置されたオペレータにより定期的に行われ得る。
【０１００】
図１０（ｂ）は、配信処理を示すフローチャートである。
【０１０１】
図１０（ｂ）を参照して、サーバ５０の制御部５０１は、サーバ５０の記憶部５０２から給湯装置１０のＩＤ情報とそのＩＤ情報に対応付けられた属性情報を読み出す（Ｓ４１）。そして、制御部５０１は、読み出された属性情報に基づいて、データベース５０２ａの広告データの中から、そのＩＤ情報の給湯装置１０へ送信する広告データを選別する（Ｓ４２）。上述のとおり広告データには属性情報が付帯されており、読み出された属性情報が付帯された属性情報に含まれる全ての広告データが、データベース５０２ａから抽出される。
【０１０２】
次に、制御部５０１は、読み出されたＩＤ情報の給湯装置１０へ、選出された広告データを送信する（Ｓ４３）。制御部５０１は、記憶部５０２において管理された全ての給湯装置１０への広告データの送信が完了したか否かを判定し（Ｓ４４）、全ての給湯装置１０への広告データの送信が完了するまでＳ４１〜Ｓ４３の処理を繰り返す。こうして、配信処理が終了する。
【０１０３】
給湯装置１０側では、台所リモコン１３において、サーバ５０からの広告データを受信する受信処理と、受信した広告データを表示する表示処理とが制御部１３３により実行される。
【０１０４】
図１１（ａ）は、受信処理を示すフローチャートである。
【０１０５】
図１１（ａ）を参照して、台所リモコン１３の制御部１３３は、無線通信部１３６が広告データを受信したか否かを監視する（Ｓ５１）。そして、無線通信部１３６が広告データを受信すると（Ｓ５１：ＹＥＳ）、制御部１３３は、受信した広告データを台所リモコン１３の記憶部１３４へ記憶させる（Ｓ５２）。
【０１０６】
図１１（ｂ）は、表示処理を示すフローチャートである。
【０１０７】
図１１（ｂ）を参照して、台所リモコン１３の制御部１３３は、台所リモコン１３の運転ボタン１３２ａが操作されたか否かを監視する（Ｓ６１）。台所リモコン１３が待機状態にあるとき、台所リモコン１３に対する操作者は、最初に運転ボタン１３２ａを操作することになる。
【０１０８】
運転ボタン１３２ａが操作されると（Ｓ６１）、制御部１３３は、記憶部１３４から広告データを読み出し、台所リモコン１３の表示部１３１に広告を表示させる（Ｓ６２）。これにより、操作者は、表示部１３１に表示された広告を見ることができる。
【０１０９】
表示部１３１には、たとえば、記憶部１３４に広告データが記憶された全ての広告の中から一部（一つまたは複数）の広告が表示される。あるいは、表示部１３１には、記憶部１３４に広告データが記憶された全ての広告が表示されてもよい。複数の広告が表示される場合、その順番は、ランダムでもよいし、所定の規則（広告データの作成日の早いもの順など）に従ったものでもよい。
【０１１０】
表示部１３１に表示された広告は、たとえば、所定時間が経過すると、あるいは、所定の操作が行われると消去される。続いて、表示部１３１には、給湯温度等の設定内容が表示される。
【０１１１】
＜実施形態の効果＞
本実施形態によれば、以下の効果が奏され得る。
【０１１２】
サーバ５０から給湯装置１０へ広告が配信され、配信された広告が給湯装置１０（台所リモコン１３）の表示部１３１に表示される。これにより、給湯装置１０が設置された家の人々が、表示部１３１に表示された広告を利用できる。よって、給湯システム１の利便性が高まる。
【０１１３】
また、入力部１３２の運転ボタン１３２ａが操作されたときに、表示部１３１に広告が表示される。これにより、表示部１３１に表示された広告が人（操作者）に見られやすくなるので、広告が利用されやすくなる。
【０１１４】
さらに、サーバ５０から給湯装置１０へ、当該給湯装置１０が使用される世帯の属性（居住地、年齢構成）に基づいて選別された広告が配信されるので、その世帯の人々に利用されやすい広告を表示部１３１に表示させることが可能となる。
【０１１５】
以上、本発明の実施形態について説明したが、本発明は、上記実施形態に限定されるものではなく、また、本発明の適用例も、上記実施形態の他に、種々の変更が可能である。
【０１１６】
＜変更例＞
図１２は、変更例に係る、受信処理を示すフローチャートである。
【０１１７】
図１２に示すように、本変更例では、台所リモコン１３の制御部１３３は、無線通信部１３６が受信した広告データを記憶部１３４に記憶させた後（Ｓ５２）、これら広告データを台所リモコン１３の通信部１３５および給湯器１１の通信部１１３を介して、浴室リモコン１２へ送信する（Ｓ５３）。
【０１１８】
送信された広告データは浴室リモコン１２の通信部１２５に受信され、浴室リモコン１２の記憶部１２４に記憶される。浴室リモコン１２の制御部１２３は、図１１（ｂ）と同様の表示処理を行う。これにより、浴室リモコン１２の運転ボタン１２１ａが操作されたときに、浴室リモコン１２の表示部１２１に広告が表示される。これにより、給湯装置１０が設置された家の人々は、台所リモコン１３のみならず、浴室リモコン１２でも広告を見ることが可能となる。
【０１１９】
なお、台所リモコン１３の制御部１３３は、浴室リモコン１２に送信する広告をお風呂に関連する広告（シャンプー、入浴剤等）に絞り込むようにしてもよい。たとえば、制御部１３３は、広告データに含まれる文字や文章を解析し、その中にお風呂に関するキーワードがあるか否かを判定することにより、広告を絞り込むことができる。
【０１２０】
＜その他の変更例＞
たとえば、上記実施形態では、サーバ５０から給湯装置１０へ広告（広告データ）が配信され、配信された広告が給湯装置１０（台所リモコン１３）の表示部１３１に表示された。しかしながら、広告以外の給湯装置１０が使用される世帯が利用できるような情報（給湯装置１０のメンテナンス情報、緊急災害情報など）が、広告に替えて、あるいは広告に加えて、サーバ５０から給湯装置１０へ配信され、給湯装置１０の表示部１３１に表示されてもよい。広告以外の情報は、世帯の属性と関わりなく、特定の給湯装置１０や全ての給湯装置１０に配信される。
【０１２１】
また、上記実施形態では、給湯装置１０が使用される世帯の属性情報が、各給湯装置１０側、即ち、各給湯装置１０とペアリングされた携帯端末装置３０で予め設定されてサーバ５０に送信されることにより、属性情報により選別された広告がサーバ５０から各給湯装置１０に配信された。しかしながら、属性情報が設定されないことにより、世帯の属性に関係なく、広告がサーバ５０から各給湯装置１０へ広告が配信されるようにしてもよい。さらに、サーバ５０が、属性情報により選別されて配信される広告に加えて属性情報に関わりなく配信される広告を保有することで、属性情報に関わりなく配信される広告が、全ての給湯装置１０へ配信されるようにしてもよい。
【０１２２】
また、上記実施形態では、サーバ５０から配信された広告データが台所リモコン１３の記憶部１３４に記憶された。しかしながら、台所リモコン１３から給湯器１１へ広告データが送信され、それら広告データが給湯器１１の記憶部１１２に記憶されるようにしてもよい。また、給湯器１１に無線通信部が設けられることにより、サーバ５０からの広告データが給湯器１１の無線通信部で受信されて記憶部１１２に記憶されるようにしてもよい。このように、給湯器１１の記憶部１１２に広告データが記憶された場合、台所リモコン１３の制御部１３３は、給湯器１１の制御部１１１に広告データを送信してもらい、表示部１３１に広告を表示させることになる。また、この場合、浴室リモコン１２の制御部１２３も、給湯器１１の制御部１１１に広告データを送信してもらって表示部１２１に広告を表示させるような構成が採られてもよい。
【０１２３】
さらに、台所リモコン１３に無線通信部１３６が設けられず、給湯器１１に無線通信部が設けられた場合、給湯器１１の無線通信部が受信した広告データが給湯器１１から台所リモコン１３に送信されて、台所リモコン１３の記憶部１３４に記憶されてもよい。また、浴室リモコン１２の表示部１２１にも広告が表示される場合は、広告データが給湯器１１から浴室リモコン１２に送信されて、浴室リモコン１２の記憶部１２４に記憶されてもよい。
【０１２４】
さらに、上記実施形態では、台所リモコン１３の入力部１３２に含まれる運転ボタン１３２ａが操作されたことに基づいて表示部１３１に広告が表示された。しかしながら、運転ボタン１３２ａに替えて、あるいは加えて、台所リモコン１３の入力部１３２に含まれる運転ボタン以外の操作ボタン（湯張りを開始する操作ボタン、給湯温度を設定する操作ボタン等）が操作されたことに基づいて表示部１３１に広告が表示されるようにしてもよい。このような操作ボタンが操作されるときにも操作者が表示部１３１に近くにいることになるので、表示部１３１に表示された広告が見られやすくなる。
【０１２５】
さらに、上記実施形態では、給湯装置１０が使用される世帯の属性情報（居住地、年齢構成）が携帯端末装置３０を用いて入力された。しかしながら、属性情報が、台所リモコン１３を用いて入力されるようにしてもよい。この場合、台所リモコン１３の制御部１３３により、図７の属性入力処理が実行され、台所リモコン１３の表示部１３１に属性入力画面９００が表示される。
【０１２６】
さらに、上記実施形態では、給湯システム１は、給湯装置１０に対する遠隔操作と遠隔監視の双方を行えるものであった。しかしながら、給湯システム１は、遠隔操作と遠隔監視のうち少なくとも一方が行われるものであってもよい。
【０１２７】
この他、本発明の実施形態は、特許請求の範囲に記載の範囲で適宜種々の変更可能である。
【符号の説明】
【０１２８】
１  給湯システム
１０  給湯装置
１１  給湯器
１３  台所リモコン
１３１  表示部
１３３  制御部（第２制御部）
１３２ａ  運転ボタン（操作部）
１３４  記憶部（配信情報記憶部）
４０  外部通信網
５０  サーバ（管理装置）
５０１  制御部（第１制御部）
５０２  記憶部（属性情報記憶部）
【図１】
2020034187.tif 000003
【図２】
2020034187.tif 000004
【図３】
2020034187.tif 000005
【図４】
2020034187.tif 000006
【図５】
2020034187.tif 000007
【図６】
2020034187.tif 000008
【図７】
2020034187.tif 000009
【図８】
2020034187.tif 000010
【図９】
2020034187.tif 000011
【図１０】
2020034187.tif 000012
【図１１】
2020034187.tif 000013
【図１２】
2020034187.tif 000014